(57)【要約】  本発明の一観点は、自動車の内燃機関用の粒子フィルタのアッシュ堆積物を検出する測定装置に関し、再生プロセスの終了後に、事前に決められた最小限のスート堆積物が粒子フィルタに残るように粒子フィルタの再生プロセスが実行され、測定装置は、内燃機関の排気装置内における粒子フィルタの排気方向下流側に設置された圧力センサを使用して、粒子フィルタの再生プロセスにおける堆積物の燃焼を特徴付ける実際の再生度を割り出し、当該再生度と再生プロセスの継続時間を特徴付ける量とに基づいて粒子フィルタのアッシュ堆積物を特定する。
2021522442.tif 000002
【特許請求の範囲】
【請求項１】
自動車の内燃機関（ＶＭ）のための粒子フィルタ（ＰＦ）のアッシュ堆積物を検出する測定装置（ＭＶ）であって、
再生プロセスの終了後に、事前に決められた最小限のスート堆積物が粒子フィルタに残るように粒子フィルタ（ＰＦ）の再生プロセスが実行され、
内燃機関の排気装置（ＭＶ）内における粒子フィルタ（ＰＦ）の排気方向下流側に設置された圧力センサ（ＤＳ）を使用して、粒子フィルタ（ＰＦ）の再生プロセスにおける堆積物の燃焼を特徴付ける実際の再生度（ｔｒ）を割り出し、
当該再生度（ｔｒ）と再生プロセスの継続時間（ｔｄ）を特徴付ける量とに基づいて粒子フィルタ（ＰＦ）のアッシュ堆積物を特定する
ように構成された測定装置。
【請求項２】
請求項１に記載の測定装置（ＭＶ）であって、
燃焼モデル（ＡＭ）を使用して、再生プロセスの継続時間（ｔｄ）に基づいて再生プロセスにおける堆積物の燃焼を特徴付けるモデル再生度（ｍｒ）を割り出し、
粒子フィルタ（ＰＦ）のアッシュ堆積物を実際の再生度（ｔｒ）とモデル再生度（ｍｒ）との偏差に基づいて割り出す
ように構成された測定装置（ＭＶ）。
【請求項３】
請求項１又は２に記載の測定装置（ＭＶ）であって、
圧力センサ（ＤＳ）を使用して、再生プロセス前の粒子フィルタ（ＰＦ）の堆積物を特徴付ける堆積度（ｘ１）を特定し、
圧力センサ（ＤＳ）を使用して、再生プロセス後の粒子フィルタ（ＰＦ）の堆積物を特徴付ける堆積度（ｘ２）を特定し、
実際の再生度（ｔｒ）をこれら二つの堆積度（ｘ１，ｘ２）の偏差に基づいて割り出す
ように構成された測定装置（ＭＶ）。
【請求項４】
請求項２又は３に記載の測定装置（ＭＶ）であって、
燃焼モデル（ＡＭ）は、排気ガス体積流量および／または排気ガス温度および／または粒子フィルタ（ＰＦ）の堆積物に基づいて再生プロセスにおける堆積物の燃焼を特徴付けるモデル再生度（ｍｒ）を割り出すように作成されている
測定装置。
【請求項５】
請求項２，３又は４のいずれかに記載の測定装置（ＭＶ）であって、
圧力センサ（ＤＳ）を使用して、再生プロセス前の粒子フィルタ（ＰＦ）の堆積物を特徴付ける堆積度（ｘ１）特定し、
燃焼モデル（ＡＭ）を使用して、再生プロセスの継続時間（ｔｄ）に基づいて再生プロセス後の粒子フィルタ（ＰＦ）の堆積物を特徴付ける堆積度（ｘｍ）を割り出し、
モデル再生度（ｍｒ）をこれら二つの堆積度（ｘ１，ｘｍ）の偏差に基づいて割り出す
ように構成された測定装置（ＭＶ）。
【請求項６】
請求項２，３，４又は５のいずれかに記載の測定装置（ＭＶ）であって、
少なくとも二つの時点（ｔ１，ｔ４）において、その都度一つの実際の再生度（ｔｒ１，ｔｒ４）と一つのモデル再生度（ｍｒ１，ｍｒ４）とを割り出し、
第一の時点（ｔ１）の後に来る第二の時点（ｔ４）における粒子フィルタ（ＰＦ）のアッシュ堆積物が増加していることを、実際の再生度（ｔｒ１，ｔｒ４）とモデル再生度（ｍｒ１，ｍｒ４）との第二の時点（ｔ４）における偏差が第一の時点（ｔ１）におけるものよりも大きい場合に判定する
ように構成された測定装置（ＭＶ）。
【請求項７】
請求項２，３，４，５又は６のいずれかに記載の測定装置（ＭＶ）であって、
少なくとも三つの時点（ｔ１，ｔ２，ｔ３，ｔ４）において、その都度一つの実際の再生度（ｔｒ１，ｔｒ２，ｔｒ３，ｔｒ４）と一つのモデル再生度（ｍｒ１，ｍｒ２，ｍｒ３，ｍｒ４）とを割り出し、
粒子フィルタ（ＰＦ）のアッシュ堆積物が増加していることを、少なくとも二つの時点（ｔ１，ｔ２；ｔ３，ｔ４）毎について集約された、実際の再生度（ｔｒ１，ｔｒ２；ｔｒ３，ｔｒ４）とモデル再生度（ｍｒ１，ｍｒ２；ｍｒ３，ｍｒ４）との後の時点（ｔ３，ｔ４）における偏差が、後の時点（ｔ３，ｔ４）に比べて前の時点（ｔ１，ｔ２）におけるものよりも大きい場合に判定する
ように構成された測定装置（ＭＶ）。
【請求項８】
請求項１に記載の測定装置（ＭＶ）であって、
圧力センサ（ＤＳ）を使用して、粒子フィルタ（ＰＦ）の堆積物を特徴付ける堆積度（ｘ）を特定し、
堆積度が第一の閾値（ｏｓ）に達したとき又はそれを上回ったとき、エンジンコントロールユニット（ＤＭＥ）により再生プロセスを開始し、
堆積度が第二の閾値（ｕｓ）に達したとき又はそれを下回ったとき、エンジンコントロールユニット（ＤＭＥ）により再生プロセスを終了し、
粒子フィルタ（ＰＦ）のアッシュ堆積物を再生プロセスの継続時間（ｔｄ）に基づいて特定する
ように構成された測定装置（ＭＶ）。
【請求項９】
請求項８に記載の測定装置（ＭＶ）であって、
再生プロセスは、少なくとも一つの再生段階（ｒｐ１，ｒｐ２，ｒｐ３）からなり、
当該再生段階（ｒｐ１，ｒｐ２）の終了後、圧力センサ（ＤＳ）を使用して、堆積度（ｘ）を特定し、
堆積度（ｘ）が第二の閾値（ｕｓ）にまだ達していない又は下回っていない場合に、さらなる再生段階（ｒｐ２，ｒｐ３）を開始する
ように構成された測定装置（ＭＶ）。
【請求項１０】
自動車の内燃機関（ＶＭ）のための粒子フィルタ（ＰＦ）のアッシュ堆積物を検出する測定方法であって、
再生プロセスの終了後に、事前に決められた最小限のスート堆積物が粒子フィルタに残るように粒子フィルタ（ＰＦ）の再生プロセスを実行し、
以下の：
粒子フィルタ（ＰＦ）の再生プロセスにおける堆積物の燃焼を特徴付ける実際の再生度（ｔｒ）を割り出すステップ、
当該再生度（ｔｒ）と再生プロセスの継続時間（ｔｄ）を特徴付ける量とに基づいて粒子フィルタ（ＰＦ）のアッシュ堆積物を特定するステップ
を有する測定方法。
【発明の詳細な説明】
【技術分野】
【０００１】
本発明は、内燃機関用の粒子フィルタのアッシュ堆積物を検出する測定装置および測定方法に関する。
【背景技術】
【０００２】
特許文献１より、粒子フィルタ内に前もって蓄えられた酸素が放出される放出時間を粒子フィルタ下流側でのラムダ値の急激な変化（Ｌａｍｂｄａ−Ｓｐｒｕｎｇ）を用いて特定することで粒子フィルタのアッシュ堆積物を判定することが公知である。その放出時間に基づいてアッシュ（灰）による粒子フィルタの堆積物が特定される。
【先行技術文献】
【特許文献】
【０００３】
【特許文献１】独国特許出願公開第１０２０１７１１６４０５号明細書
【発明の概要】
【発明が解決しようとする課題】
【０００４】
本発明の課題は、内燃機関用の粒子フィルタのアッシュ堆積物を検出する代替的な測定装置および代替的な測定方法を提供することである。
【課題を解決するための手段】
【０００５】
この課題は、独立特許請求項の特徴部により解決される。有利な実施態様は、従属請求項に記載されている。独立特許請求項に従属する特許請求項の付加的な特徴は、独立特許請求項の特徴無しで又は独立特許請求項の特徴の一部との組み合わせだけでも、独立特許請求項の全ての特徴との組み合わせには無関係の個別の発明を形作ることができ、その発明は、分割出願又は継続出願の独立請求項の対象にすることができる。このことは、明細書に記載された技術的教示にも同様に当てはまり、それは、独立特許請求項の特徴とは独立した発明を形作ることができる。
【０００６】
本発明の第一の観点は、自動車の内燃機関用の粒子フィルタのアッシュ堆積物を検出する測定装置に関する。
【０００７】
粒子フィルタは、内燃機関が稼動する際に灰（アッシュ）に加えて煤（スート）も堆積する。灰（アッシュ）はこのとき、通常、オイルの燃えカスからなり、煤（スート）は、燃料が燃焼した残りカスから生じる。従って、粒子フィルタの堆積物は、少なくともアッシュ（灰）による粒子フィルタの堆積物とスート（煤）による粒子フィルタの堆積物とを含有する。
【０００８】
粒子フィルタの再生プロセスは、再生プロセスの終了後に、事前に決められた最小限のスート堆積物が粒子フィルタに残るように実行される。ここで、事前に決められた最小限のスート堆積物は、例えば粒子フィルタの効率に応じて、粒子フィルタ、内燃機関又は自動車の開発中に予め決めておくことができる。代替的または付加的に、事前に決められた最小限のスート堆積物は、粒子フィルタの稼動中に調整することもでき、特にそれを継続的に行ってもよい。
【０００９】
再生プロセスでは、粒子フィルタ内のスートが燃焼される。再生プロセスはこのとき、特に、粒子フィルタが堆積物で一杯になり、そのせいで燃費が悪くなってしまいかねないのを防ぐのに役立つ。ただし、再生プロセスではアッシュは燃焼されず、その結果、粒子フィルタの耐用期間に亘って粒子フィルタのアッシュ堆積物は増え続ける。
【００１０】
本発明は、粒子フィルタの効率が、スートによる粒子フィルタの堆積物にとりわけ依存するという知見に基づくものである。
【００１１】
比較的高い効率はこのとき、特に、スートに関して最小限の堆積物が粒子フィルタに堆積している場合にだけ達成される。ここで、最小の堆積は例えば２５％、５０％又は７５％であることもある。そのため、粒子フィルタのアッシュ堆積物を特定するに当たって粒子フィルタ内に堆積したスートを完全に燃やし尽くすことはあまり意味のあることではない。
【００１２】
測定装置は、内燃機関の排気装置内における粒子フィルタの排気方向下流側に設置された圧力センサを使用して、粒子フィルタの再生プロセスにおける堆積物の燃焼を特徴付ける実際の再生度を割り出すように構成されている。このとき、アッシュによる粒子フィルタの堆積物とスートによる粒子フィルタの堆積物のいずれも、圧力センサにより測定される圧力、例えば排気ガスの逆圧（Ａｂｇａｓ−Ｇｅｇｅｎｄｒｕｃｋ）に関与する。
【００１３】
これとは別に、圧力センサは、粒子フィルタの排気方向上流側に設置することもできる。
【００１４】
圧力センサは特に、粒子フィルタ前後（上流側と下流側）の圧力差を特定するように構成することができる。粒子フィルタはそのために、例えば粒子フィルタの排気方向上流側へのアクセス口と粒子フィルタの排気方向下流側へのアクセス口を有することができる。
【００１５】
或いは、圧力センサは、圧力差を特定するために、粒子フィルタの上流側の圧力だけを測定し、粒子フィルタの下流側の圧力は、排気装置内における粒子フィルタの下流側に続く構成要素のモデルを使用して特定するように構成してもよい。
【００１６】
圧力センサによって必要に応じて検出された圧力差は、例えば実際の再生度を特定するのに参照することができる。
【００１７】
ここで、粒子フィルタのアッシュ堆積物の寄与分と粒子フィルタのスート堆積物の寄与分とを区別することは、スートを完全に燃やし尽くした単純な場合にしかできないが、それは、そのような場合にはスート堆積物の寄与分が完全に抜け落ちるからである。
【００１８】
そのために測定装置は特に、圧力センサを使用して、再生プロセス前の粒子フィルタの堆積物を特徴付ける堆積度を特定し、圧力センサを使用して、再生プロセス後の粒子フィルタの堆積物を特徴付ける堆積度を特定するように構成することができる。堆積度は特に、圧力か或いは圧力を特徴付ける量、例えば別の影響因子（例えば温度）の値によって正規化された量とすることができる。
【００１９】
実際の再生度は、測定装置により二つの堆積度の偏差に基づいて割り出すことができる。二つの堆積度の偏差は、例えば二つの堆積度の差分であってもよいし、或いは二つの量の互いに対する比であってもよい。
【００２０】
ここで、本発明は、確かに粒子フィルタのアッシュ堆積物が増加し続け、粒子フィルタの再生によっても減らすことはできないという知見に基づいてはいる。しかしながら、粒子フィルタのアッシュ堆積物は、非常にゆっくりと増加するため、特に二つの堆積度を特定する際に、再生プロセス前のアッシュ堆積物が再生プロセス後のアッシュ堆積物に略相当し、従ってアッシュ堆積物が変化しないという単純化した仮定を置くことができる。
【００２１】
測定装置はさらに、再生度と再生プロセスの継続時間を特徴付ける量とに基づいて粒子フィルタのアッシュ堆積物を特定するように構成されている。再生プロセスの期間を特徴付ける量は、特に、例えばミリ秒単位で記述可能な連続的な時間間隔であってもよい。それに代えて特に、例えば実行された再生プロセスの回数といった離散的な時間尺度でも構わない。
【００２２】
有利な実施形態では、測定装置は、燃焼モデルを使用して、再生プロセスの継続時間に基づいて再生プロセスにおける堆積物の燃焼を特徴付けるモデル再生度を割り出すように構成されている。
【００２３】
燃焼モデルはここで、特に、再生プロセスの継続時間に基づいて再生プロセスによる粒子フィルタの堆積物の想定される減少分を提示する。短い再生プロセスに比べて長い再生プロセスであれば、燃焼モデルは例えば、粒子フィルタの堆積物のより多くの減少分を提示する。
【００２４】
さらに、測定装置は、粒子フィルタのアッシュ堆積物を実際の再生度とモデル再生度との偏差に基づいて割り出す（検出する）ように構成されている。実際の再生度とモデル再生度との偏差は、例えば、実際の再生度とモデル再生度との差分であってもよい。それに代えて例えば、実際の再生度のモデル再生度に対する比とすることもできる。それに代えて例えば、モデル再生度の実際の再生度に対する比とすることもできる。特に、測定装置は、実際の再生度とモデル再生度との偏差が比較的大きい場合に、粒子フィルタの比較的多いアッシュ堆積物を割り出すように構成することができる。
【００２５】
これに代わるものとして、測定装置は特に、実際の再生度とモデル再生度との偏差が比較的小さい場合に、粒子フィルタの比較的少ないアッシュ堆積物を割り出すように構成することができる。
【００２６】
さらに別の有利な実施形態では、燃焼モデルは、排気ガス体積流量および／または排気ガス温度および／または粒子フィルタの堆積物に基づいて再生プロセスにおける堆積物の燃焼を特徴付けるモデル再生度を割り出すように作成されている。
【００２７】
さらに別の有利な実施形態では、測定装置は、圧力センサを使用して、再生プロセス前の粒子フィルタの堆積物を特徴付ける堆積度を特定し、燃焼モデルを使用して、再生プロセスの継続時間に基づいて再生プロセス後の粒子フィルタの堆積物を特徴付ける堆積度を割り出すように構成されている。
【００２８】
さらに、測定装置は、モデル再生度をこれら二つの堆積度の偏差に基づいて割り出すように構成されている。この偏差は、例えば、これら二つの堆積度の差分又はこれら二つの堆積度の互いに対する比とすることができる。
【００２９】
さらに別の有利な実施形態では、測定装置は、少なくとも二つの時点において、その都度一つの実際の再生度と一つのモデル再生度を割り出し、第一の時点の後に来る第二の時点における粒子フィルタのアッシュ堆積物が増加していることを、実際の再生度とモデル再生度との第二の時点における偏差が第一の時点におけるものよりも大きい場合に判定するように構成されている。
【００３０】
本発明はここで、時間とともに粒子フィルタのアッシュ堆積物が増加していくと、実際の再生度のモデル再生度からのズレも次第に大きくなっていくという知見に基づいている。
【００３１】
さらに別の有利な実施形態では、測定装置は、少なくとも三つの時点において、その都度一つの実際の再生度と一つのモデル再生度とを割り出し、粒子フィルタのアッシュ堆積物が増加していることを、少なくとも二つの時点毎について集約された、実際の再生度とモデル再生度との後の時点における偏差が、後の時点に比べて前の時点におけるものよりも大きい場合に判定するように構成されている。
【００３２】
偏差を集約するとは特に、算術平均値または中央値を求めることであってもよい。集約された偏差は、例えば、離れた複数時点毎について求めてもよい。或いは、集約された偏差は、平滑値（ｇｌｅｉｔｅｎｄｅｒ  Ｗｅｒｔ）として求めてもよい。
【００３３】
ここで、本発明は、実際の再生度とモデル再生度との偏差は、場合によっては、相当深刻な瞬間的な（時点毎の）障害の複数の影響を被る可能性があるという知見に基づいている。これらの瞬間的な障害の影響は、フィルタリングの意味合いでの集約によって識別して補償することができると考えられる。
【００３４】
さらに別の有利な実施形態では、測定装置は、圧力センサを使用して、粒子フィルタの堆積物を特徴付ける堆積度を特定するように構成されている。
【００３５】
さらに、測定装置は、堆積度が第一の閾値に達したとき又はそれを上回ったとき、エンジンコントロールユニットにより再生プロセスを開始し、堆積度が第二の閾値に達したとき又はそれを下回ったとき、エンジンコントロールユニットにより再生プロセスを終了し、粒子フィルタのアッシュ堆積物を再生プロセスの継続時間に基づいて特定するように構成されている。
【００３６】
特に、測定装置は、第一のおよび／または第二の閾値を前の時点で特定された粒子フィルタのアッシュ堆積物に基づいて調整するように構成されている。例えば、アッシュ堆積物が増加していることが確認された場合には、第一のおよび／または第二の閾値を上げることができる。
【００３７】
ここで、本発明は、内燃機関が稼動しているときには、粒子フィルタのアッシュ堆積物は絶えず上昇はするが、ただしゆっくりであるという知見に基づいている。
【００３８】
特に、測定装置は、時間の短い再生プロセスに比べて時間のより長い再生プロセスの場合に、より多い粒子フィルタのアッシュ堆積物を特定するように構成されている。
【００３９】
さらに別の有利な実施形態では、再生プロセスは、少なくとも一つの再生段階からなり、有利には、一より多い再生段階からなる。再生段階の継続時間は特に、予め一定に決めておくことができ、例えば経験的に求めることができる。これに代えて、再生段階の継続時間は特に、測定装置が動作している間であっても、燃焼モデルに基づいて求めることができる。
【００４０】
測定装置は、再生段階の終了後、圧力センサを使用して、堆積度を特定し、堆積度が第二の閾値にまだ達していない又は下回っていない場合に、さらなる再生段階を開始するように構成されている。
【００４１】
そのときには、開始された再生段階の回数は特に、再生プロセスの継続時間を特徴付ける量として測定装置によって参照することができる。
【００４２】
本発明の第二の観点は、自動車の内燃機関用の粒子フィルタのアッシュ堆積物を検出する測定方法に関する。
【００４３】
粒子フィルタの再生プロセスはここで、再生プロセスの終了後に、事前に決められた最小限のスート堆積物が粒子フィルタに残るように実行される。
【００４４】
この測定方法の一ステップは、粒子フィルタの再生プロセスにおける堆積物の燃焼を特徴付ける実際の再生度を割り出すことである。
【００４５】
この測定方法のさらなるステップは、上記再生度と再生プロセスの継続時間を特徴付ける量とに基づいて粒子フィルタのアッシュ堆積物を特定することである。
【００４６】
本発明の第一の観点による本発明の測定装置に関する先の記述は、本発明の第二の観点による本発明の測定方法についても対応した態様で当てはまる。特許請求項とここに明記されていない本発明の測定方法の有利な実施例は、先に記載した又は特許請求項に記載した本発明の測定装置の有利な実施例に対応する。
【００４７】
以下に、添付の図面を用いながら実施例に基づいて本発明を説明する。
【図面の簡単な説明】
【００４８】
【図１】内燃機関の概略的な構成を、内燃機関に接続された排気装置とともに示す図である。
【図２】粒子フィルタの堆積物の測定点の例を示す図である。
【図３】再生度の値の例を示す図である。
【図４】粒子フィルタの堆積物の外挿された推移を示す図である。
【発明を実施するための形態】
【００４９】
図１は内燃機関ＶＭを示し、その排出物は、粒子フィルタＰＦに導かれる。粒子フィルタＰＦの排気方向下流側には、一つの圧力センサＤＳが排気装置内に設置されている。
【００５０】
この圧力センサＤＳにより測定され、場合によっては前処理された値を受け取るように一つの測定装置ＭＶが設けられている。さらに、圧力センサＤＳにより測定され、場合によっては前処理された値を受け取るように一つの燃焼モデルＡＭが設けられている。
【００５１】
さらに、測定装置ＭＶは、燃焼モデルＡＭから粒子フィルタのモデル堆積度を受け取るようにも設けられている。
【００５２】
しかも、測定装置ＭＶは、エンジンコントロール装置ＤＭＥを用いることで、粒子フィルタＰＦの再生プロセスを内燃機関ＶＭの操作を通じて開始および終了するように設けられている。
【００５３】
図２は、粒子フィルタの堆積物ＰＦの測定点の例を示している。
【００５４】
粒子フィルタＰＦの再生プロセスｒｐ１はこのとき、再生プロセスｒｐ１の終了後に、事前に決められた最小限のスート堆積物が粒子フィルタに残るように実行される。この再生プロセスｒｐ１は、例えばオーバーラン・フューエルカットオフｓａとそれに続くデッドタイムを含み得る。
【００５５】
再生プロセスｒｐ１の間は、場合によっては粒子フィルタＰＦの堆積物Ｂの測定ができず、そのために、再生プロセスｒｐ１のいかなるコントロールもできなくなる可能性がある。
【００５６】
自動車の内燃機関ＶＭのための粒子フィルタＰＦのアッシュ堆積物を検出する測定装置ＭＶは、内燃機関ＭＶの排気装置内における粒子フィルタＰＦの排気方向下流側に設置された圧力センサＤＳを使用して、粒子フィルタＰＦの再生プロセスにおける堆積物の燃焼を特徴付ける実際の再生度ｔｒを割り出すように構成されている。
【００５７】
実際の再生度ｔｒを割り出すために、測定装置ＭＶは、圧力センサＤＳを使用して、再生プロセス前の粒子フィルタＰＦの堆積物を特徴付ける堆積度ｘ１を特定し、圧力センサＤＳを使用して、再生プロセス後の粒子フィルタＰＦの堆積物を特徴付ける堆積度ｘ２を特定するように構成されている。
【００５８】
実際の再生度ｔｒは、これら二つの堆積度ｘ１，ｘ２の偏差に基づいて割り出すことができる。
【００５９】
さらに、測定装置ＭＶは、燃焼モデルＡＭを使用して、再生プロセスの継続時間ｔｄに基づいて再生プロセスにおける堆積物の燃焼を特徴付けるモデル再生度ｍｒを割り出すように構成されている。
【００６０】
燃焼モデルＡＭは、排気ガス体積流量および／または排気ガス温度および／または粒子フィルタＰＦの堆積物に基づいて再生プロセスにおける堆積物の燃焼を特徴付けるモデル再生度ｍｒを割り出すように作成されている。
【００６１】
特に、測定装置ＭＶは、圧力センサＤＳを使用して、再生プロセス前の粒子フィルタＰＦの堆積物を特徴付ける堆積度（ｘ１）を特定し、燃焼モデルＡＭを使用して、再生プロセスの継続時間ｔｄに基づいて再生プロセス後の粒子フィルタＰＦの堆積物を特徴付ける堆積度（ｘｍ）を割り出し、モデル再生度ｍｒをこれら二つの堆積度ｘ１，ｘｍの偏差に基づいて割り出すように構成されている。
【００６２】
測定装置ＭＶは、粒子フィルタＰＦのアッシュ堆積物を実際の再生度ｔｒとモデル再生度ｍｒとの偏差に基づいて割り出すように構成されている。
【００６３】
図３は、再生度の値の例を示している。測定装置ＭＶはこのとき、少なくとも二つの時点ｔ１，ｔ４において、その都度一つの実際の再生度ｔｒ１，ｔｒ４と一つのモデル再生度ｍｒ１，ｍｒ４を割り出すように構成されている。
【００６４】
さらに、測定装置は、第一の時点ｔ１の後に来る第二の時点ｔ４における粒子フィルタＰＦのアッシュ堆積物が増加していることを、実際の再生度ｔｒ１，ｔｒ４とモデル再生度ｍｒ１，ｍｒ４との第二の時点ｔ４における偏差が第一の時点ｔ１におけるものよりも大きい場合に判定するように構成することができる。
【００６５】
代替的ないし付加的に、測定装置ＭＶは、少なくとも三つの時点ｔ１，ｔ２，ｔ３，ｔ４において、その都度一つの実際の再生度ｔｒ１，ｔｒ２，ｔｒ３，ｔｒ４と一つのモデル再生度ｍｒ１，ｍｒ２，ｍｒ３，ｍｒ４とを割り出し、粒子フィルタＰＦのアッシュ堆積物が増加していることを、少なくとも二つの時点ｔ１，ｔ２；ｔ３，ｔ４毎について集約された、実際の再生度ｔｒ１，ｔｒ２；ｔｒ３，ｔｒ４とモデル再生度ｍｒ１，ｍｒ２；ｍｒ３，ｍｒ４との後の時点ｔ３，ｔ４における偏差が、後の時点ｔ３，ｔ４に比べて前の時点ｔ１，ｔ２におけるものよりも大きい場合に判定するように構成することができる。
【００６６】
図４は、粒子フィルタの堆積物Ｂの外挿された推移を示している。測定装置ＭＶはこのとき、圧力センサＤＳを使用して、粒子フィルタＰＦの堆積物を特徴付ける堆積度ｘを特定するように構成されている。
【００６７】
堆積度が第一の閾値ｏｓに達したとき又はそれを上回ったとき、測定装置ＭＶがエンジンコントロールユニットＤＭＥにより再生プロセスを開始する。
【００６８】
堆積度が第二の閾値ｕｓに達したとき又はそれを下回ったとき、測定装置ＭＶがエンジンコントロールユニットＤＭＥにより再生プロセスを終了する。
【００６９】
さらに、測定装置は、粒子フィルタＰＦのアッシュ堆積物を再生プロセスの継続時間ｔｄに基づいて特定する。
【００７０】
再生プロセスはこのとき、少なくとも一つの再生段階ｒｐ１，ｒｐ２，ｒｐ３からなり、測定装置ＭＶは、その再生段階ｒｐ１，ｒｐ２の終了後、圧力センサＤＳを使用して、堆積度ｘを特定し、堆積度ｘが第二の閾値ｕｓにまだ達していない又は下回っていない場合に、さらなる再生段階ｒｐ２，ｒｐ３を開始するように構成することができる。
【図１】
2021522442.tif 000003
【図２】
2021522442.tif 000004
【図３】
2021522442.tif 000005
【図４】
2021522442.tif 000006
【国際調査報告】
2021522442.tif 000007
2021522442.tif 000008
2021522442.tif 000009
2021522442.tif 000010
2021522442.tif 000011